(57)【要約】【課題】  ダイオキシンが発生するおそれが極力ない焼却炉を提供しようとするもの。【解決手段】  廃棄物１を焼却する燃焼室２にはスライド変位可能な開閉扉４が配設されると共に、前記開閉扉４と連動して変位可能な廃棄物投入庫５が設けられ、焼却時に前記開閉扉４が閉じているときには廃棄物投入庫５は廃棄物１を供給することが可能な位置にあり、前記開閉扉４を開くと廃棄物投入庫５が燃焼室２へ廃棄物１を投入することが可能であり且つ外気から遮断し得る位置へと変位するようにした。よって、１サイクルの焼却処理が終了して次サイクルの廃棄物の再投入時に燃焼室内へ外気が侵入しないようにすることができる。【選択図】  図１
2005090799.tif 000002
【特許請求の範囲】
【請求項１】
廃棄物(１)を焼却する燃焼室(２)にはスライド変位可能な開閉扉(４)が配設されると共に、前記開閉扉(４)と連動して変位可能な廃棄物投入庫(５)が設けられ、焼却時に前記開閉扉(４)が閉じているときには廃棄物投入庫(５)は廃棄物(１)を供給することが可能な位置にあり、前記開閉扉(４)を開くと廃棄物投入庫(５)が燃焼室(２)へ廃棄物(１)を投入することが可能であり且つ外気から遮断し得る位置へと変位するようにしたことを特徴とする焼却炉。
【請求項２】
前記廃棄物投入庫(５)に供給された廃棄物(１)を燃焼室(２)へ投入する投入プッシャー(11)を具備する請求項１記載の焼却炉。
【請求項３】
前記開閉扉(４)と廃棄物投入庫(５)とは着脱可能に接続された請求項１又は２記載の焼却炉。
【発明の詳細な説明】
【技術分野】
【０００１】
この発明は、生活ゴミ、一般廃棄物、その他産業廃棄物等を処理するための焼却炉に関するものである。
【背景技術】
【０００２】
従来より、生活ゴミ、一般廃棄物、その他産業廃棄物等を処理するために焼却炉が用いられている。図９に示すように、この焼却炉21は開閉扉22を開けてゴミ等(図示せず)を燃焼室23内に投入し、投入完了後に扉22を閉じた状態で焼却処理する構造となっている。
【０００３】
ところで、平成14年12月1日施行の「廃棄物処理及び清掃に関する法律」の施行規則の一部を改正する省令では、廃棄物を焼却する焼却設備の構造につき次のように規定されている（例えば、非特許文献１参照）。
「１．空気取入口及び煙突の先端以外に焼却設備内と外気とが接することなく、燃焼室において発生するガス（以下「燃焼ガス」という。）の温度が摂氏８００度以上の状態で、廃棄物を焼却できるものであること。
【０００４】
２．燃焼に必要な量の空気の通風が行われるものであること。
【０００５】
３．外気と遮断された状態で、定量ずつ廃棄物を燃焼室に投入することができるものであること。（ガス化燃焼方式その他の構造上やむを得ないと認められる焼却設備の場合を除く。）
【０００６】
４．燃焼室中の燃焼ガスの温度を測定するための装置が設けられていること。
【０００７】
５．燃焼ガスの温度を保つために必要な助燃装置が設けられていること。」 
しかし前記規定の趣旨に反し、上記のような従来の構造の焼却炉21は、１サイクルの焼却処理が終了して次サイクルのゴミ等の再投入時に扉22を開閉した際ゴミ等と一緒に外気が燃焼室23内に流入し、燃焼室23内の温度が一時的に低下してダイオキシンが発生するおそれがあるという問題があった。
【非特許文献１】あおもり環境ホームページ、“エコ・ナビ・あおもり  焼却炉の構造に関する規制について”、[online]、[2003/8/4検索]、インターネット＜ＵＲＬ：http://www.pref.aomori.jp/kankyo/econavi/jigyousya/dxn/shoukyaku.htm＞
【発明の開示】
【発明が解決しようとする課題】
【０００８】
そこでこの発明は、ダイオキシンが発生するおそれが極力ない焼却炉を提供しようとするものである。
【課題を解決するための手段】
【０００９】
前記課題を解決するためこの発明では次のような技術的手段を講じている。
(１)この発明の焼却炉は、廃棄物を焼却する燃焼室にはスライド変位可能な開閉扉が配設されると共に、前記開閉扉と連動して変位可能な廃棄物投入庫が設けられ、焼却時に前記開閉扉が閉じているときには廃棄物投入庫は廃棄物を供給することが可能な位置にあり、前記開閉扉を開くと廃棄物投入庫が燃焼室へ廃棄物を投入することが可能であり且つ外気から遮断し得る位置へと変位するようにしたことを特徴とする。
【００１０】
この焼却炉は、焼却時に前記開閉扉が閉じているときには廃棄物投入庫は廃棄物を供給することが可能な位置にあり、前記開閉扉を開くと廃棄物投入庫が燃焼室へ廃棄物を投入することが可能であり且つ外気から遮断し得る位置へと変位するようにしたので、１サイクルの焼却処理が終了して次サイクルの廃棄物の再投入時に燃焼室内へ外気が侵入しないようにすることができる。
【００１１】
(２)前記廃棄物投入庫に供給された廃棄物を燃焼室へ投入する投入プッシャーを具備することとしてもよい。
【００１２】
このように構成すると、投入プッシャーによって次サイクルの廃棄物の再投入時に円滑に投入することができる。
【００１３】
(３)前記開閉扉と廃棄物投入庫とは着脱可能に接続されたこととしてもよい。
【００１４】
このように構成するとメンテナンスや補修等の際に使い勝手がよく、また焼却開始の着火前に乱尺や長尺物の廃棄物を予め燃焼室に投入しておくことができる。
【発明の効果】
【００１５】
この発明の焼却炉は、次の利点を有する。
【００１６】
１サイクルの焼却処理が終了して次サイクルの廃棄物の再投入時に燃焼室内へ外気が侵入しないようにすることができるので、炉内に空気が流入して温度が低下することを防止することができ、ダイオキシンが発生するおそれが極力ない焼却炉を提供することができる。
【発明を実施するための最良の形態】
【００１７】
以下、この発明の実施の形態を図面を参照して説明する。
【００１８】
図１乃至図８に示すように、この実施形態の焼却炉は、廃棄物１を焼却する燃焼室２の投入口３にはスライド変位可能な開閉扉４が配設されると共に、前記開閉扉４と連動してスライド変位可能な断面略コの字状の廃棄物投入庫５(ホッパー)が設けられている。前記燃焼室２では、ゴミその他の廃棄物１を対象の必要に応じ燃焼バーナー(図示せず)により８００度以上の高温で焼却する。
【００１９】
図６等に示すように、前記廃棄物投入庫５はレール６に対しコロ７が転動することによりスライド変位を可能としており、前記開閉扉４と廃棄物投入庫５とはピン８によって着脱可能に接続している。したがって、廃棄物投入庫５と開閉扉４とは一体的に変位する。廃棄物投入庫５は、操作体９を介して電動や油圧、エアーやギアーなどにより駆動して変位させるようにしている。
【００２０】
また、前記廃棄物投入庫５に供給された廃棄物１を押圧板10によって燃焼室２へ投入する投入プッシャー11を具備する。前記投入プッシャー11は、電動モータ(図示せず)によりチェーンを介して駆動するようにしている。
【００２１】
図１及び図３に示すように、焼却時に前記開閉扉４が閉じているときには廃棄物投入庫５は廃棄物１を供給することが可能な位置にある。ここで、廃棄物投入庫５へゴミ等の廃棄物１を供給する作業を行うことが可能な位置において、その奥(燃焼室２)側と手前(投入プッシャー11)側の両側には、廃棄物１の洩れ防止のため奥側閉塞板12と手前側閉塞板13とを配設している。
【００２２】
また図２、図４及び図７に示すように、前記開閉扉４を開くと廃棄物投入庫５が燃焼室２へ廃棄物１を投入することが可能であり且つ外気から遮断し得る位置へと変位するようにしている。ここで、廃棄物投入庫５が燃焼室２へ廃棄物１を投入することが可能であり且つ外気から遮断し得る位置ではその上方に上側閉塞板14が配設され、廃棄物投入庫５の奥側が燃焼室２内と連通すると共に、その手前側に投入プッシャー11の押圧板10が位置する。
【００２３】
次に、この実施形態の焼却炉の使用状態を説明する。
【００２４】
廃棄物１の再投入時には、前サイクルの焼却処理中に予め前記廃棄物投入庫５に廃棄物１を収容する作業を行っておく。そして、廃棄物投入庫５にスライドさせて燃焼室２への投入位置へと変位させると、開閉扉４が連動して変位し廃棄物投入庫５が燃焼室２と連通した状態となる。その後、図５及び図８に示すように、廃棄物投入庫５から投入プッシャー11により廃棄物１を燃焼室２内に投入し、投入完了後に開閉扉４を閉じた状態として焼却処理する。
【００２５】
この焼却炉は、焼却時に開閉扉４が閉じているときには廃棄物投入庫５は廃棄物１を供給することが可能な位置にあり、前記開閉扉４を開くと廃棄物投入庫５が燃焼室２へ廃棄物１を投入することが可能であり且つ外気から遮断し得る位置へと変位するようにしたので、１サイクルの焼却処理が終了して次サイクルの廃棄物１の再投入時に燃焼室２内へ外気が侵入しないようにすることができ、炉内に空気が流入して温度が低下することを防止することができ、ダイオキシンが発生するおそれが極力ないという利点がある。したがって、平成14年12月1日施行の「廃棄物処理及び清掃に関する法律」を遵守することができる。
【００２６】
また、前記廃棄物投入庫５に供給された廃棄物１を燃焼室２へ投入する投入プッシャー11を具備するので、投入プッシャー11によって次サイクルの廃棄物１の再投入時に円滑に投入することができる。
【００２７】
更に、前記開閉扉４と廃棄物投入庫５とはピン８により着脱可能に接続されたこととしているので、メンテナンスや補修等の際に使い勝手がよく、また焼却開始の着火前に乱尺や長尺物の廃棄物を予め燃焼室に投入しておくことができるという利点がある。
【産業上の利用可能性】
【００２８】
この発明は、生活ゴミ、一般廃棄物、その他産業廃棄物等を処理するための焼却炉をはじめとする各種用途にも適用することができる。
【図面の簡単な説明】
【００２９】
【図１】この発明の焼却炉の実施形態で燃焼室の開閉扉が閉じた状態を説明する斜視図。
【図２】図１の焼却炉で燃焼室の開閉扉が開いた状態を説明する斜視図。
【図３】図１の焼却炉で燃焼室の開閉扉が閉じた状態を説明する平面図。
【図４】図１の焼却炉で燃焼室の開閉扉が開いた状態を説明する平面図。
【図５】図４の焼却炉で投入プッシャーを駆動した状態を説明する平面図
【図６】図１の焼却炉を説明する側面図。
【図７】図１の焼却炉で燃焼室の開閉扉が開いた状態を説明する側断面図。
【図８】図７の焼却炉で投入プッシャーを駆動した状態を説明する側断面図
【図９】従来の焼却炉を説明する斜視図。
【符号の説明】
【００３０】
１  廃棄物
２  燃焼室
４  開閉扉
５  廃棄物投入庫
11  投入プッシャー
【図１】
2005090799.tif 000003
【図２】
2005090799.tif 000004
【図３】
2005090799.tif 000005
【図４】
2005090799.tif 000006
【図５】
2005090799.tif 000007
【図６】
2005090799.tif 000008
【図７】
2005090799.tif 000009
【図８】
2005090799.tif 000010
【図９】
2005090799.tif 000011